(57)【要約】【課題】開閉部材に備えられた回転体を当接体に良好に接触させつつ、その接触に起因する反力が開閉部材に加わることを抑制できる画像形成装置を提供すること。【解決手段】  １対のねじりコイルばね９５の第１係合部９７のそれぞれは、１対の係合部６８のそれぞれに係合する。１対のねじりコイルばね９５の第２係合部９８のそれぞれは、転写ローラ１３の軸部９０の両端部のそれぞれに当接する。１対の側壁４１の被係合部５０のそれぞれは、１対の係合部６８のそれぞれと係合する。１対の側壁４１の被係合部５０のそれぞれは、１対の係合部６８のそれぞれに対して転写ローラ１３の反対側に位置する。また、１対のねじりコイルばね９５のそれぞれは、転写ローラ１３を感光ドラム１２に向かって付勢する。そのため、１対のねじりコイルばね９５のそれぞれが転写ローラ１３を付勢する際の反力を、１対の側壁４１の被係合部５０のそれぞれに伝えることができる。【選択図】図２
2015069143.tif 000002
【特許請求の範囲】
【請求項１】
開口部を有し、前記開口部を挟んで第１方向において間隔を隔てて位置する１対の側壁を備える装置本体と、
前記第１方向に延びる第１軸線を支点として回動可能であり、回動することにより前記開口部を開閉する開閉部材と、
前記第１方向に延びる軸線に関して回転可能に支持される回転体と、
前記開閉部材が閉状態のときに、前記回転体と当接する当接体と、
前記開閉部材に対して、前記回転体を離間する方向に付勢する付勢部材と、を備え、
前記開閉部材は、係合部を備え、
前記１対の側壁の少なくとも一方は、前記係合部が係合する被係合部を備え、
前記付勢部材は、
一端部が前記係合部に係合し、
他端部が前記回転体に係合し、
前記開閉部材が閉状態のときに、前記回転体を前記当接体に向かって付勢し、
前記被係合部は、前記開閉部材が閉状態のときに、前記係合部に対して前記回転体の反対側に位置していることを特徴とする、画像形成装置。
【請求項２】
前記１対の側壁の少なくとも一方は、前記付勢部材の付勢方向に沿って前記回転体を案内する第１案内部を有していることを特徴とする、請求項１に記載の画像形成装置。
【請求項３】
前記付勢部材は、
ねじりコイルばねであり、
線材が巻回されて構成される巻回部を備え、
前記一端部が、前記巻回部からその接線方向に延びており、
前記他端部が、前記巻回部からその接線方向に延びており、かつ、前記一端部が延びる方向とは異なる方向に延びていることを特徴とする、請求項１または２に記載の画像形成装置。
【請求項４】
前記第１軸線は、前記巻回部の内方に位置することを特徴とする、請求項３に記載の画像形成装置。
【請求項５】
前記１対の側壁の少なくとも一方は、前記係合部を前記被係合部に案内する第２案内部を有していることを特徴とする、請求項１ないし４のいずれか一項に記載の画像形成装置。
【請求項６】
前記係合部は、
前記開閉部材が閉状態のときに、前記被係合部と係合する第１位置と、前記被係合部との係合を解除する第２位置とに移動可能であることを特徴とする、請求項１ないし５のいずれか一項に記載の画像形成装置。
【請求項７】
他端部が前記回転体を回転可能に支持する支持部をさらに備え、
前記支持部の一端部は、前記第１方向に延びる第２軸線を支点として前記開閉部材に回動可能に支持され、
前記第２軸線は、前記巻回部の内方に位置することを特徴とする、請求項３に記載の画像形成装置。
【請求項８】
前記開閉部材は、前記開閉部材に対する前記支持部の回動範囲を規制する規制部を備えていることを特徴とする、請求項７に記載の画像形成装置。
【請求項９】
前記当接体は、外周面に現像剤像が形成される感光ドラムであり、
前記回転体は、前記感光ドラムに形成された現像剤像を記録媒体に転写する転写ローラであることを特徴とする、請求項１ないし８のいずれか一項に記載の画像形成装置。
【発明の詳細な説明】
【技術分野】
【０００１】
本発明は、電子写真方式が採用される画像形成装置に関する。
【背景技術】
【０００２】
電子写真方式が採用される画像形成装置として、記録媒体を排出部に排出する搬送経路の周辺に開閉可能な開閉カバーを備える画像形成装置が知られている。搬送経路の途中で記録媒体の紙詰まりが発生した場合には、開閉カバーを開けることで搬送経路途中の記録媒体を取り出すことができる。
【０００３】
このような画像形成装置として、開閉カバーに転写ローラおよびばねを設けた画像形成装置が知られている。この画像形成装置では、転写ローラは、開閉カバーに回転可能に支持されており、かつ、開閉カバーに対して移動可能である。ばねは、開閉カバーに取り付けられている。開閉カバーを閉じた状態において、ばねの付勢力は部材を介して転写ローラに付与される。そして、転写ローラは、装置内の中間転写ベルトに対して押圧力を持って接触する。これにより、転写ローラと中間転写ベルトとの間の接触状態を良好に保つことができる。また、紙詰まりが発生した際は、開閉カバーを開けることで転写ローラと中間転写ベルトとを離間させ、これらの間で詰まった記録媒体を取り除くことができる。（例えば、特許文献１参照）。
【先行技術文献】
【特許文献】
【０００４】
【特許文献１】特開２００４−２０５７４号公報
【発明の概要】
【発明が解決しようとする課題】
【０００５】
しかるに、上記特許文献１に記載の画像形成装置では、転写ローラに付勢力を付与するばねが開閉カバーに取り付けられている。そのため、転写ベルトによって中間転写ベルトを押圧する際の反力がばねを介して開閉カバーに直接加わる。その結果、開閉カバーが変形するおそれがある。特に、画像形成装置を小型化する場合には、開閉カバーを小型化および薄型化する必要があり、一層開閉カバーが変形するおそれがある。
【０００６】
そこで、本発明の目的は、開閉部材に備えられた回転体を当接体に良好に接触させつつ、その接触に起因する反力が開閉部材に加わることを抑制できる画像形成装置を提供することにある。
【課題を解決するための手段】
【０００７】
（１）上記目的を達成するために、本発明の画像形成装置は、開口部を有し、開口部を挟んで第１方向において間隔を隔てて位置する１対の側壁を備える装置本体と、第１方向に延びる第１軸線を支点として回動可能であり、回動することにより開口部を開閉する開閉部材と、第１方向に延びる軸線に関して回転可能に支持される回転体と、開閉部材が閉状態のときに、回転体と当接する当接体と、開閉部材に対して、回転体を離間する方向に付勢する付勢部材と、を備える。開閉部材は、係合部を備える。１対の側壁の少なくとも一方は、係合部が係合する被係合部を備える。付勢部材は、一端部が係合部に係合し、他端部が回転体に係合し、開閉部材が閉状態のときに、回転体を当接体に向かって付勢する。被係合部は、開閉部材が閉状態のときに、係合部に対して回転体の反対側に位置している。
【０００８】
このような構成によれば、付勢部材の一端は係合部に係合し、付勢部材の他端は回転体に当接する。付勢部材は、開閉部材が閉状態のときに、回転体を当接体に向かって付勢する。
【０００９】
そのため、回転体を当接体に確実に接触させることができる。
【００１０】
また、被係合部は、係合部と係合する。被係合部は、開閉部材が閉状態のときに、係合部に対して回転体の反対側に位置する。
【００１１】
そのため、付勢部材が回転体を付勢する際の反力を、係合部を介して、側壁に備えられる被係合部に伝えることができる。
【００１２】
その結果、付勢部材からの反力が開閉部材に直接伝わることを抑制できる。
【００１３】
よって、回転体を当接体に良好に接触させつつ、開閉部材に付勢部材の付勢力に起因する反力が加わることを抑制できる。
（２）また、１対の側壁の少なくとも一方は、付勢部材の付勢方向に沿って回転体を案内する第１案内部を有していてもよい。
【００１４】
このような構成によれば、１対の側壁の少なくとも一方は、第１案内部を有している。
【００１５】
そのため、開閉部材が閉状態のときに、第１案内部により回転体を付勢方向に案内できる。
【００１６】
その結果、回転体を当接体に確実に接触させることができる。
（３）また、付勢部材は、ねじりコイルばねであり、線材が巻回されて構成される巻回部を備え、一端部が、巻回部からその接線方向に延びており、他端部が、巻回部からその接線方向に延びており、かつ、一端部が延びる方向とは異なる方向に延びていてもよい。
【００１７】
このような構成によれば、付勢部材はねじりコイルばねにより構成される。
【００１８】
そのため、ねじりコイルばねにより、効率的に回転体を当接体に向けて付勢しつつ、反力を被係合部に伝えることができる。
（４）また、第１軸線は、巻回部の内方に位置してもよい。
【００１９】
このような構成によれば、第１軸線は、ねじりコイルばねの巻回部の内方に位置する。
【００２０】
そのため、ねじりコイルばねの付勢方向と開閉部材の開閉方向とを同一方向とすることができる。
【００２１】
その結果、開閉部材の開くときは、ねじりコイルばねの付勢力を用いることができ、円滑に開閉部材を開くことができる。また、開閉部材を閉じるときは、ねじりコイルばねの付勢力に反して開閉部材を閉じるため、開閉部材が急に閉じることを抑制できる。
（５）また、１対の側壁の少なくとも一方は、係合部を被係合部に案内する第２案内部を有していてもよい。
【００２２】
このような構成によれば、１対の側壁の少なくとも一方は、第２案内部を備える。
【００２３】
そのため、開閉部材が閉めるときに、第２案内部により係合部を被係合部に案内して、係合部を被係合部に確実に係合させることができる。
（６）また、係合部は、開閉部材が閉状態のときに、被係合部と係合する第１位置と、被係合部との係合を解除する第２位置とに移動可能であってもよい。
【００２４】
このような構成によれば、係合部を第１位置に移動させることで被係合部に係合させることができる。また、係合部を第２位置に移動させることで被係合部との係合を解除することができる。
【００２５】
そのため、係合部を第１位置または第２位置に移動させる動作により、係合部を被係合に係合させ、または、係合部の被係合部への係合を解除することができる。
（７）また、他端部が回転体を回転可能に支持する支持部をさらに備えてもよい。支持部の一端部は、第１方向に延びる第２軸線を支点として開閉部材に回動可能に支持されてもよい。第２軸線は、巻回部の内方に位置してもよい。
【００２６】
このような構成によれば、開閉部材は回転体を回転可能に支持する支持部を備える。
【００２７】
そのため、回転体を支持部によって安定的に支持できる。
【００２８】
また、第２軸線は、ねじりコイルばねの巻回部の内方に位置する。
【００２９】
そのため、支持部の回動方向とねじりコイルばねの付勢方向とを同一方向とすることができる。
【００３０】
その結果、ねじりコイルばねの付勢力を用いて円滑に支持部を移動させることができる。
（８）また、開閉部材は、開閉部材に対する支持部の回動範囲を規制する規制部を備えてもよい。
【００３１】
このような構成によれば、支持部は規制部によって回動範囲が規制される。
【００３２】
そのため、支持部を適切な範囲で回動させることができる。
（９）また、当接体は、外周面に現像剤像が形成される感光ドラムであり、回転体は、感光ドラムに形成された現像剤像を記録媒体に転写する転写ローラであってもよい。
【００３３】
このような構成によれば、当接体は感光ドラムとして構成され、回転体は転写ローラとして構成される。
【００３４】
そのため、開閉部材が閉状態のときには、付勢部材により転写ローラを感光ドラムに向けて付勢しつつ、転写ローラを感光ドラムに当接させることができる。開閉部材が開状態のときには、転写ローラを感光ドラムから離間させることができる。
【発明の効果】
【００３５】
本発明の画像形成装置では、開閉部材に備えられた回転体を当接体に良好に接触させつつ、その接触に起因する反力が開閉部材に加わることを抑制できる。
【図面の簡単な説明】
【００３６】
【図１】図１は、本発明の画像形成装置の一実施形態としてのプリンタを示す右側面図である。
【図２】図２は、図１に示すプリンタにおいて、開閉カバーが閉状態における開閉カバー、側壁および転写ローラを示す斜視図である。
【図３】図３は、図１に示すプリンタの開閉カバーおよび転写ローラを示す斜視図である。
【図４】図４は、図１に示すプリンタにおいて、開閉カバーが開状態における開閉カバー、側壁および転写ローラを示す斜視図である。
【図５】図５は、図２に示す開閉カバー、側壁および転写ローラにおいて、スライドカバーを上方に移動させた状態を示す斜視図である。
【図６】図６は、図２に示す開閉カバー、側壁および転写ローラにおいてにおいて、開閉カバーのやや開いた状態を示す斜視図である。
【図７】図７は、図１に示すプリンタの変形例における開閉カバーおよび転写ローラを示す斜視図である。
【発明を実施するための形態】
【００３７】
１．プリンタの全体構成
図１に示すように、画像形成装置の一例としてのプリンタ１は、装置本体の一例としての本体ケーシング２と、画像形成部３とを備えている。
【００３８】
なお、以下の説明において、プリンタ１の方向に言及するときには、プリンタ１を水平に載置した状態を上下の基準とする。すなわち、図１の紙面上方が上方であり、紙面下方が下方である。また、図１の紙面左方が前方であり、図１の紙面右方が後方である。また、プリンタ１を前方から見たときを左右の基準とする。すなわち、図１の紙面奥が左方であり、紙面手前が右方である。
【００３９】
本体ケーシング２は、左右方向に延びる略ボックス形状を有している。本体ケーシング２は、用紙載置部４と、排紙トレイ５と、開口部２０とを有している。
【００４０】
用紙載置部４は、本体ケーシング２の底部に位置しており、略ボックス形状を有している。用紙載置部４では、用紙Ｐが載置されている。
【００４１】
排紙トレイ５は、本体ケーシング２の上壁の前方部分に位置している。排紙トレイ５は、用紙Ｐが載置されるように、本体ケーシング２の上面から下方に凹んでいる。
【００４２】
開口部２０は、本体ケーシング２の後壁を開口している。開口部２０は、本体ケーシング２の外部空間と内部空間とを連通している。開口部２０は、開閉部材の一例としての開閉カバー２１によって閉鎖されている。
【００４３】
開閉カバー２１は、本体ケーシング２の後端部に位置している。開閉カバー２１は、背面視略矩形の板形状を有している。開閉カバー２１の下端部は、本体ケーシング２の後下端部に回動可能に取り付けられている。これにより、開閉カバー２１は、下端部を中心として回動可能であり、回動することにより、開口部２０を開放または閉鎖する。開閉カバー２１は、通常は閉状態が保たれる。
【００４４】
画像形成部３は、プロセスユニット６と、回転体の一例としての転写ローラ１３と、スキャナユニット７と、定着ユニット８とを備えている。
【００４５】
プロセスユニット６は、本体ケーシング２の上下方向略中央に位置している。プロセスユニット６は、ドラムユニット１０と、現像ユニット１１とを備えている。
【００４６】
ドラムユニット１０は、当接体の一例としての感光ドラム１２と、スコロトロン型帯電器１４とを備えている。
【００４７】
感光ドラム１２は、左右方向に延びる略円筒形状を有している。感光ドラム１２は、ドラムユニット１０の後方部分において、回転可能に支持されている。
【００４８】
スコロトロン型帯電器１４は、感光ドラム１２の上方に間隔を隔てて位置している。
【００４９】
現像ユニット１１は、現像ローラ１５と、供給ローラ１６と、層厚規制ブレード１７と、を備えている。
【００５０】
現像ローラ１５は、現像ユニット１１の後端部において、回転可能に支持されている。現像ローラ１５の後上端部は、感光ドラム１２の前下端部に接触している。
【００５１】
供給ローラ１６は、現像ローラ１５の前下方に位置している。供給ローラ１６は、現像ユニット１１の後方部分において、回転可能に支持されている。供給ローラ１６の後上端部は、現像ローラ１５の前下端部と接触している。
【００５２】
層厚規制ブレード１７は、現像ローラ１５の前方に位置している。層厚規制ブレード１７は、正面視略矩形を有している。層厚規制ブレード１７は、現像ユニット１１の後端部に支持されている。層厚規制ブレード１７の下端部は、現像ローラ１５の前端部に接触している。
【００５３】
供給ローラ１６および層厚規制ブレード１７の前方の空間には、トナーが収容されている。
【００５４】
転写ローラ１３は、感光ドラム１２の後方に位置している。転写ローラ１３は、後述する１対のアーム８０に回転可能に支持されている。転写ローラ１３の前端部は、感光ドラム１２の後端部と接触している。
【００５５】
スキャナユニット７は、本体ケーシング２の上下方向略中央において、プロセスユニット６の前方に間隔を隔てて位置している。スキャナユニット７は、感光ドラム１２に向けて、画像データに基づくレーザービームを出射し、感光ドラム１２の周面を露光する。
【００５６】
定着ユニット８は、本体ケーシング２の後上側端部において、プロセスユニット６の上方に位置している。定着ユニット８は、加熱ローラ１８と、加熱ローラ１８に対して前上方から接触する加圧ローラ１９とを備えている。
【００５７】
プリンタ１において画像形成動作が開始されると、現像ユニット１１内のトナーは、供給ローラ１６と現像ローラ１５との間で摩擦帯電され、層厚規制ブレード１７によって厚さが規制されて、一定厚さの薄層として現像ローラ１５の表面に担持される。
【００５８】
一方、感光ドラム１２の表面は、スコロトロン型帯電器１４によって一様に帯電された後、スキャナユニット７によってレーザービームＬが出射される。これにより、感光ドラム１２の表面には、画像データに基づく静電潜像が形成される。そして、現像ローラ１５に担持されるトナーが感光ドラム１２の表面上の静電潜像に供給されることにより、感光ドラム１２の表面上にトナー像が担持される。
【００５９】
用紙載置部４に載置された用紙Ｐは、各種ローラの回転により、所定のタイミングで１枚ずつ、感光ドラム１２と転写ローラ１３との間に給紙される。そして、用紙Ｐには、感光ドラム１２と転写ローラ１３との間を通過するときに、トナー像が転写され、画像が形成される。
【００６０】
続いて、用紙Ｐは、加熱ローラ１８と加圧ローラ１９との間を通過するときに加熱および加圧される。このとき、用紙Ｐには、画像が熱定着される。その後、用紙Ｐは、排紙トレイ５に排紙される。
【００６１】
このように用紙Ｐは、プリンタ１の画像形成動作において、用紙載置部４から排紙トレイ５へ、側面視略Ｃ字状の搬送経路を搬送される。
【００６２】
このとき、用紙Ｐの搬送経路において、用紙Ｐの紙詰まりが発生すると、ユーザにより開閉カバー２１が後方に向かって回転されて開口部２０が開放される。この状態で、ユーザによって詰まっている用紙Ｐが取り除かれることで、用紙Ｐの紙詰まりが解消される。
２．本体ケーシングおよび開閉カバーの詳細
（１）側壁
図２および図４に示すように、本体ケーシング２は、１対の側壁４１を備えている。１対の側壁４１は、互いに左右方向に間隔を隔てて位置している。１対の側壁４１のそれぞれは、側面視略矩形の略平板形状を有しており、前後方向に延びている。１対の側壁４１の後端部間が開口部２０として区画される。１対の側壁４１のそれぞれは、第１凹部４２と、後突起４３と、第２凹部４４とを備えている。
【００６３】
第１凹部４２は、１対の側壁４１の後端部であって、上端からやや下方の部分に位置している。第１凹部４２は、１対の側壁４１の後端縁から前方に向かって窪んでおり、側面視略コ字状を有している。第１凹部４２は、上内縁４２Ａと、前内縁４２Ｂと、下内縁４２Ｃとを有している。
【００６４】
上内縁４２Ａは、第１凹部４２の上方側の内縁であって、１対の側壁４１のそれぞれの後端縁から前方に向かって延びている。
【００６５】
前内縁４２Ｂは、第１凹部４２の前方側の内縁であって、上内縁４２Ａの前端から下方に向かって延びている。
【００６６】
下内縁４２Ｃは、第１凹部４２の下方側の内縁であって、前内縁４２Ｂの下端から後方に向かって延びている。
【００６７】
後突起４３は、第１凹部４２の下内縁４２Ｃの後端部から上方に向かって突出している。後突起４３は、側面視において、上方に向かって先細るテーパー形状を有している。後突起４３は、被係合部５０と第２案内部の一例としての傾斜部５１とを有している。
【００６８】
被係合部５０は、後突起４３の内縁であって、第１凹部４２の下内縁４２Ｃから上方に向かって延びている。前後方向において、被係合部５０と第１凹部４２の前内縁４２Ｂとの間の寸法は、後述する係合部６８の直径よりもやや大きい。被係合部５０は、開閉カバー２１が閉状態のときに、後述する係合部６８に対して転写ローラ１３の反対側に位置している。
【００６９】
傾斜部５１は、後突起４３の外縁であって、被係合部５０の上端から後下方に向かって傾斜するように延びている。傾斜部５１の下端は、１対の側壁４１のそれぞれの後端に連続している。傾斜部５１と被係合部５０との連続する部分が後突起４３の先端であり、上下方向において、この後突起４３の先端から第１凹部４２の上内縁４２Ａまでの寸法は、後述する係合部６８の直径よりも大きい。
【００７０】
第２凹部４４は、１対の側壁４１の後端部、かつ、上下方向略中央部に位置しており、第１凹部４２の下方に位置している。第２凹部４４は、受入部５３と、第１案内部の一例としてのガイド部５４とを有している。
【００７１】
受入部５３は、１対の側壁４１の後端縁であって、上下方向略中央部分から前方に向かって窪んでおり、側面視略コ字状を有している。
【００７２】
ガイド部５４は、受入部５３の前端縁の上下方向略中央部分から前方に向かって窪んでおり、側面視略コ字状を有している。ガイド部５４の上下方向の寸法は、受入部５３の上下方向の寸法よりも小さく、後述する転写ローラ１３の軸部９０の直径よりもやや大きい。ガイド部５４は、上下方向において、感光ドラム１２と略同じ位置に位置している。ガイド部５４の前端は、感光ドラム１２のやや後方に位置している。
（２）開閉カバー
開閉カバー２１は、開口部２０を閉鎖した状態、すなわち閉状態において、１対の側壁４１の後端部間に位置している。開閉カバー２１は、ベースカバー６０と、スライドカバー６１とを備えている。なお、以下においては、特に言及がない限り、開閉カバー２１が閉状態のときを基準として説明する。
【００７３】
ベースカバー６０は、背面視略矩形の平板形状を有しており、左右方向に延びている。また、ベースカバー６０の内面が本体ケーシング２内に臨み、ベースカバー６０の外面が本体ケーシング２の後方外部に臨んでいる。ベースカバー６０の下端部は、１対の側壁４１の下端部間に回動可能に支持されている。詳しくは、ベースカバー６０の下端部であって、左右方向両端部にはボス９９が備えられている。１対のボス９９のそれぞれは、１対の側壁４１の後下端部を貫通して、１対の側壁４１から左右方向外方に突出している。これにより、開閉カバー２１が、第１軸線および第２軸線の一例としての軸線Ｓを支点として、１対の側壁４１の後下端部間において回動可能に支持されている。ベースカバー６０は、スライド開口６２と、１対のカバー凹部６３と、１対の圧縮ばね６４と、１対の回転規制部６９とを有している。
【００７４】
スライド開口６２は、ベースカバー６０の上端側、すなわち、自由端側に位置している。スライド開口６２は、背面視略矩形状を有しており、左右方向に延びている。スライド開口６２は、ベースカバー６０を厚み方向に貫通している。
【００７５】
１対のカバー凹部６３のそれぞれは、スライド開口６２の左右方向外方側に位置している。１対のカバー凹部６３のそれぞれは、ベースカバー６０の内面からベースカバー６０の外面側に向かって窪んでいる。１対のカバー凹部６３のそれぞれは、左右方向において、スライド開口６２とベースカバー６０の外方の空間とを連通している。
【００７６】
１対の圧縮ばね６４のそれぞれは、スライド開口６２の内方において、後述する突出板６６の上端とベースカバー６０におけるスライド開口６２の上端部との間に位置している。
【００７７】
図３に示すように、１対の回転規制部６９のそれぞれは、ベースカバー６０の下端部であって、左右方向両端部に位置している。１対の回転規制部６９のそれぞれは、ベースカバー６０の下端部であって、左右方向両端部から外方に突出している。１対の回転規制部６９のそれぞれは、背面視略矩形の平板形状を有している。
【００７８】
図２および図４に示すように、スライドカバー６１は、スライド開口６２の内方に位置している。スライドカバー６１は、スライド開口６２の内方において、上下方向にスライド可能に位置している。スライドカバー６１は、スライド板部６５と、突出板６６とを備えている。
【００７９】
スライド板部６５は、背面視略矩形の平板形状を有しており、左右方向に延びている。スライド板部６５は、左右方向の寸法がスライド開口６２の左右方向の寸法よりもやや小さく、上下方向の寸法がスライド開口６２の上下方向の寸法よりも小さい。スライド板部６５は、把持開口６７を有している。
【００８０】
把持開口６７は、スライド板部６５の上下方向中央部よりもやや上方であって、左右方向中央部に位置している。把持開口６７は、左右方向に延びる略矩形状を有しており、スライド板部６５を厚み方向に貫通している。
【００８１】
突出板６６は、スライド板部６５の下端部の内面から内方に向かって突出している。突出板６６は、正面視略矩形の平板形状を有しており、左右方向に延びている。突出板６６は、スライド板部６５と一体的に構成されている。上記したように、突出板６６の上端とベースカバー６０におけるスライド開口６２の上端部との間には１対の圧縮ばね６４が位置しており、スライドカバー６１は、常には下方に向かって付勢されている。これによって、スライドカバー６１は、ベースカバー６０におけるスライド開口６２の下方側に位置している。突出板６６は、１対の係合部６８を備えている。
【００８２】
１対の係合部６８のそれぞれは、突出板６６の左右方向両端部から左右方向外方に突出している。１対の係合部６８のそれぞれは、略円柱形状を有している。１対の係合部６８のそれぞれは、突出板６６から１対のカバー凹部６３のそれぞれの内方を通過して左右方向外方に延びている。
（３）アーム
図２、図３および図４に示すように、開閉カバー２１の左右方向両端部と１対の側壁４１との間には、支持部の一例としての１対のアーム８０が位置している。
【００８３】
１対のアーム８０のそれぞれは、アーム板８１と、回動部８２と、支持部８３と一体的に備えている。
【００８４】
アーム板８１は、長手の略平板形状を有している。
【００８５】
回動部８２は、アーム板８１の一端部に位置している。回動部８２は、側面視略円環形状を有している。回動部８２には、ベースカバー６０のボス９９が挿通されている。
【００８６】
支持部８３は、アーム板８１の他端部に位置している。支持部８３は、側面視略円環形状を有している。支持部８３の内径は、後述する転写ローラ１３の軸部９０の直径よりもやや大きい。
【００８７】
１対のアーム８０の回動部８２のそれぞれは、ベースカバー６０の１対のボス９９のそれぞれが挿通されることにより、軸線Ｓを支点として回動可能に支持されている。これによって、１対のアーム８０のそれぞれは、開閉カバー２１の回動軸線である軸線Ｓを回動軸線としている。すなわち、１対のアーム８０のそれぞれは、開閉カバー２１と共通の回動軸線を有する。
（４）転写ローラ
転写ローラ１３は、軸部９０と、ローラ部９１とを備えている。
【００８８】
軸部９０は、左右方向に延びる略円柱形状を有している。軸部９０の左右方向両端部は、１対のアーム８０のそれぞれの支持部８３を挿通している。これにより、軸部９０は、１対のアーム８０において、左右方向に延びる軸線Ｔに関して回転可能に支持されている。
【００８９】
軸部９０の外周面は、左右方向両端部以外の部分がローラ部９１により被覆されている。
【００９０】
転写ローラ１３は、軸部９０の左右方向両端部が１対のアーム８０に回転可能に支持されることにより、開閉カバー２１に対して軸線Ｓを支点として回動するように移動可能である。
（５）ねじりコイルばね
１対の側壁４１の左右方向外方には、付勢部材の一例としての１対のねじりコイルばね９５が位置している。
【００９１】
１対のねじりコイルばね９５のそれぞれは、巻回部９６と、第１係合部９７と、第２係合部９８とを一体的に備えている。
【００９２】
巻回部９６は、金属製の線材が巻回されることより構成されており、側面視略環形状を有している。１対の巻回部９６のそれぞれは、１対の側壁４１の後下端部のそれぞれから左右方向外方に突出している１対のボス９９のそれぞれに、軸線Ｓを支点として回動可能に支持されている。すなわち、１対のねじりコイルばね９５のそれぞれは、１対の側壁４１の後下端部のボス９９のそれぞれに、軸線Ｓを支点として回動可能に支持されている。
【００９３】
第１係合部９７は、金属製の線材であって、側面視において巻回部９６から接線方向に延びている。第１係合部９７の先端部は、略Ｌ字状に屈曲している。１対の第１係合部９７の先端部のそれぞれは、開閉カバー２１の１対の係合部６８のそれぞれに前方から係合している。
【００９４】
第２係合部９８は、金属製の線材であって、側面視において巻回部９６から接線方向であって、第１係合部９７とは異なる方向に延びている。第２係合部９８は、巻回部９６に対して第１係合部９７と反対側に位置している。第２係合部９８の先端部は、略コ字状に屈曲している。１対の第２係合部９８の先端部のそれぞれは、転写ローラ１３の軸部９０の両端部のそれぞれに後方から係合している。
３．ねじりコイルばねによる付勢
図２に示すように、開閉カバー２１が閉状態において、開閉カバー２１の１対の係合部６８のそれぞれは、１対の側壁４１の被係合部５０のそれぞれと、１対の側壁４１の前内縁４２Ｂのそれぞれとの間に位置している。転写ローラ１３の軸部９０の両端部のそれぞれは、１対の側壁４１のガイド部５４のそれぞれに入り込んでいる。また、上記したように、１対のねじりコイルばね９５の第１係合部９７のそれぞれは、開閉カバー２１の１対の係合部６８のそれぞれに前方から係合しており、１対のねじりコイルばね９５の第２係合部９８のそれぞれは、転写ローラ１３の軸部９０の両端部のそれぞれに後方から係合している。１対のねじりコイルばね９５のそれぞれにおいて、第１係合部９７と第２係合部９８とは近接した状態を維持している。
【００９５】
このとき、１対のねじりコイルばね９５のそれぞれの付勢力が、１対の係合部６８のそれぞれと、転写ローラ１３の軸部９０の両端部のそれぞれとに付与される。詳しくは、１対の係合部６８のそれぞれは、１対のねじりコイルばね９５のそれぞれによって後方に向かって付勢される。これにより、１対の係合部６８のそれぞれは、１対の側壁４１の被係合部５０のそれぞれに前方から係合する。そして、１対の係合部６８のそれぞれに付与された付勢力は、１対の側壁４１の被係合部５０のそれぞれに付与される。すなわち、１対のねじりコイルばね９５のそれぞれの後方に向かう付勢力は、１対の側壁４１の被係合部５０のそれぞれによって受けられる。また、転写ローラ１３の軸部９０の両端部のそれぞれは、１対のねじりコイルばね９５のそれぞれによって前方に向かって付勢される。これにより、転写ローラ１３が感光ドラム１２に前方に向かう付勢力を持って接触する。
４．開閉カバーの開閉動作
開閉カバー２１を閉状態から開状態にする際は、図５に示すように、ユーザは、スライドカバー６１の把持開口６７を把持して、１対の圧縮ばね６４の付勢力に抗してスライドカバー６１を上方に向かって移動させる。
【００９６】
すると、図６に示すように、１対の係合部６８のそれぞれと、１対の側壁４１の被係合部５０のそれぞれとの係合状態が解除されるとともに、１対のねじりコイルばね９５の付勢力により、１対の係合部６８のそれぞれが後方に向かって移動される。すなわち、開閉カバー２１が、軸線Ｓを支点として後方に向かって回転する。また、転写ローラ１３と感光ドラム１２との接触状態が解除される。このとき、１対の係合部６８は、ベースカバー６０のスライド開口６２において、ベースカバー６０の自由端側である第２位置に位置している。
【００９７】
次いで、図４に示すように、開閉カバー２１が閉状態から後方に向かって略９０°回転されると、開口部２０が開放されて、開閉カバー２１が開状態となる。
【００９８】
このとき、１対のアーム８０のそれぞれは、軸線Ｓを支点として開閉カバー２１に対して前方に回転し、図３に示すように、１対の回転規制部６９のそれぞれに後方から係合する。そして、１対のアーム８０のそれぞれは、１対の回転規制部６９のそれぞれにより、開閉カバー２１に対して一定以上回転しないように規制される。これにより、１対のねじりコイルばね９５のそれぞれにおいて、第１係合部９７と第２係合部９８とは、開閉カバー２１が閉状態のときに比べて離間した状態が維持される。転写ローラ１３は、軸線Ｓを支点として前方に回転するように移動し、開閉カバー２１が閉状態のときと比べて開閉カバー２１から離間した状態が維持される。
【００９９】
開閉カバー２１を開状態から閉状態にする際は、ユーザは、スライドカバー６１の把持開口６７を把持しつつ、開閉カバー２１を軸線Ｓを支点として前方に回転させる。
【０１００】
すると、１対の係合部６８のそれぞれは、１対の側壁４１の傾斜部５１のそれぞれに当接する。また、転写ローラ１３の軸部９０の両端部のそれぞれが、１対の側壁４１のそれぞれの受入部５３に入り込む。
【０１０１】
次いで、図６に示すように、ユーザは、１対のねじりコイルばね９５のそれぞれの付勢力に抗してさらに開閉カバー２１を前方に向かって押圧する。
【０１０２】
すると、１対の係合部６８のそれぞれは、１対の側壁４１のそれぞれの傾斜部５１に案内されて、ベースカバー６０に対して、１対の圧縮ばね６４の付勢力に抗して、上方、すなわち、ベースカバー６０の自由端側に移動する。また、転写ローラ１３の軸部９０の両端部のそれぞれが、１対の側壁４１のガイド部５４のそれぞれに入り込む。そして、転写ローラ１３が、感光ドラム１２に後方から接触し、感光ドラム１２を後方から前方に向かって押圧する。
【０１０３】
次いで、図５に示すように、１対の係合部６８のそれぞれは、１対の側壁４１の前内縁４２Ｂに当接する。また、転写ローラ１３は、一定のニップ圧をもって感光ドラム１２に後方から接触する。
【０１０４】
そして、図２に示すように、ユーザが、把持しているスライドカバー６１の把持開口６７を離すと、スライドカバー６１は、１対の圧縮ばね６４の付勢力により下方に移動する。１対の係合部６８のそれぞれは、１対の側壁４１の下内縁４２Ｃのそれぞれに当接する。このとき、１対の係合部６８は、ベースカバー６０のスライド開口６２において、ベースカバー６０の固定端側である第１位置に位置している。これにより、開閉カバー２１が閉状態となり、開口部２０が閉鎖される。
５．作用効果
（１）このプリンタ１によれば、図２に示すように、１対のねじりコイルばね９５の第１係合部９７のそれぞれは、１対の係合部６８のそれぞれに係合する。１対のねじりコイルばね９５の第２係合部９８のそれぞれは、転写ローラ１３の軸部９０の両端部のそれぞれに当接する。１対のねじりコイルばね９５のそれぞれは、開閉カバー２１が閉状態のときに、転写ローラ１３を感光ドラム１２に向かって付勢する。
【０１０５】
そのため、転写ローラ１３を感光ドラム１２に確実に接触させることができる。
【０１０６】
また、１対の側壁４１の被係合部５０のそれぞれは、１対の係合部６８のそれぞれと係合する。１対の側壁４１の被係合部５０のそれぞれは、開閉カバー２１が閉状態のときに、１対の係合部６８のそれぞれに対して転写ローラ１３の反対側に位置する。
【０１０７】
そのため、１対のねじりコイルばね９５のそれぞれが転写ローラ１３を付勢する際の反力を、１対の係合部６８のそれぞれを介して、１対の側壁４１の被係合部５０のそれぞれに伝えることができる。
【０１０８】
その結果、１対のねじりコイルばね９５のそれぞれからの反力が開閉カバー２１に直接伝わることを抑制できる。
【０１０９】
よって、転写ローラ１３を感光ドラム１２に良好に接触させつつ、開閉カバー２１に１対のねじりコイルばね９５のそれぞれの付勢力に起因する反力が加わることを抑制できる。
（２）また、このプリンタ１によれば、図２に示すように、１対の側壁４１のそれぞれは、ガイド部５４を有している。
【０１１０】
そのため、開閉カバー２１が閉状態のときに、１対のガイド部５４のそれぞれにより転写ローラ１３を付勢方向に案内できる。
【０１１１】
その結果、転写ローラ１３を感光ドラム１２に確実に接触させることができる。
（３）また、このプリンタ１によれば、図２に示すように、１対の係合部６８のそれぞれ、および、転写ローラ１３の軸部９０の両端部のそれぞれは、１対のねじりコイルばね９５のそれぞれによって付勢される。
【０１１２】
そのため、１対のねじりコイルばね９５のそれぞれにより、効率的に転写ローラ１３を感光ドラム１２に向けて付勢しつつ、反力を１対の側壁４１の被係合部５０のそれぞれに伝えることができる。
（４）また、このプリンタ１によれば、図４に示すように、開閉カバー２１の回動軸線は軸線Ｓであり、１対のねじりコイルばね９５のそれぞれの回動軸線は軸線Ｓである。すなわち、開閉カバー２１と１対のねじりコイルばね９５のそれぞれとは、回動軸線を共有している。換言すると、軸線Ｓは、１対のねじりコイルばね９５の巻回部９６のそれぞれの内方に位置する。
【０１１３】
そのため、１対のねじりコイルばね９５のそれぞれの付勢方向と開閉カバー２１の開閉方向とを同一方向とすることができる。
【０１１４】
その結果、開閉カバー２１を開くときは、１対のねじりコイルばね９５のそれぞれの付勢力を用いることができ、円滑に開閉カバー２１を開くことができる。また、開閉カバー２１を閉じるときは、１対のねじりコイルばね９５のそれぞれの付勢力に反して開閉カバー２１を閉じるため、開閉カバー２１が急に閉じることを抑制できる。
（５）また、このプリンタ１によれば、図４に示すように、１対の側壁４１のそれぞれは、傾斜部５１を備える。
【０１１５】
そのため、開閉カバー２１を閉めるときに、１対の側壁４１の傾斜部５１のそれぞれにより、１対の係合部６８のそれぞれを１対の側壁４１の被係合部５０のそれぞれに案内して、１対の係合部６８のそれぞれを１対の側壁４１の被係合部５０のそれぞれに確実に係合させることができる。
（６）また、このプリンタ１によれば、図５に示すように、スライドカバー６１を１対の圧縮ばね６４の付勢力によって下方に移動させることで、１対の係合部６８のそれぞれを１対の側壁４１の被係合部５０のそれぞれに係合させることができる。また、スライドカバー６１を１対の圧縮ばね６４の付勢力に抗して上方に移動させることで、１対の係合部６８のそれぞれと１対の側壁４１の被係合部５０のそれぞれとの係合を解除することができる。
【０１１６】
そのため、１対の係合部６８のそれぞれを上下方向に移動させる動作により、１対の係合部６８のそれぞれを１対の側壁４１の被係合部５０のそれぞれに係合させ、または、その係合を解除することができる。
（７）また、このプリンタ１によれば、図３に示すように、開閉カバー２１は転写ローラ１３を回転可能に支持する１対のアーム８０を備える。
【０１１７】
そのため、転写ローラ１３を１対のアーム８０によって安定的に支持できる。
【０１１８】
また、１対のアーム８０のそれぞれの回動軸線は軸線Ｓであり、１対のねじりコイルばね９５のそれぞれの回動軸線は軸線Ｓである。すなわち、１対のアーム８０のそれぞれと１対のねじりコイルばね９５のそれぞれとは、回動軸線を共有している。換言すると、軸線Ｓは、１対のねじりコイルばね９５の巻回部９６のそれぞれの内方に位置する。
【０１１９】
そのため、１対のアーム８０のそれぞれの回動方向と１対のねじりコイルばね９５のそれぞれの付勢方向とを同一方向とすることができる。
【０１２０】
その結果、１対のねじりコイルばね９５のそれぞれの付勢力を用いて円滑に１対のアーム８０のそれぞれを移動させることができる。
（８）また、このプリンタ１によれば、図３に示すように、１対のアーム８０のそれぞれは、１対の回転規制部６９のそれぞれによって前方への回転が規制される。
【０１２１】
そのため、１対のアーム８０のそれぞれを適切な範囲で回転させることができる。
６．第２実施形態のプリンタ
図７を参照して、プリンタの変形例を説明する。なお、以下の変形例において、上記第１実施形態と同様の部材には同様の符号を付し、その説明を省略する。
【０１２２】
上記第１実施形態では、転写ローラ１３は、１対のアーム８０のそれぞれにより、回転可能に支持され、かつ、開閉カバー２１に対して移動可能に支持されている。
【０１２３】
対して、第２実施形態では、図７に示すように、転写ローラ１３は、１対のねじりコイルばね９５のそれぞれに支持される。
【０１２４】
１対のねじりコイルばね９５のそれぞれの第２係合部９８の先端部は、側面視略円環形状を有している。１対のねじりコイルばね９５のそれぞれにおいて、第２係合部９８の先端部には、転写ローラ１３の軸部９０の両端部が挿通されている。
【０１２５】
これにより、転写ローラ１３は、１対のねじりコイルばね９５のそれぞれに回転可能に支持されるとともに、１対のねじりコイルばね９５のそれぞれによって開閉カバー２１に対して回動するように移動可能である。
【０１２６】
このような構成によれば、転写ローラ１３は、１対のねじりコイルばね９５のそれぞれに回転可能に支持されるので、部品点数を減らすことができ。プリンタ１を簡易に構成できる。
７．その他の変形例
上記第１実施形態では、１対のねじりコイルばね９５のそれぞれによって、転写ローラ１３が開閉カバー２１から離間する方向に付勢されている。
【０１２７】
しかし、転写ローラ１３が開閉カバー２１から離間する方向に付勢されればよく、付勢するための部材は、１対のねじりコイルばね９５に限られない。例えば、転写ローラ１３と開閉カバー２１とが圧縮ばねにより離間する方向に付勢されていてもよい。
【０１２８】
このような構成によれば、圧縮ばねを回動可能に支持する必要がないため、プリンタ１を簡易に構成できる。
【０１２９】
また、上記第１実施形態では、１対のアーム８０のそれぞれが開閉カバー２１に回転可能に支持されている。
【０１３０】
しかし、１対のアーム８０のそれぞれが１対の側壁４１のそれぞれに回転可能に支持されていてもよい。転写ローラ１３は、１対のアーム８０のそれぞれに回転可能に支持され、１対の側壁４１のそれぞれに対して移動可能であってもよい。
【０１３１】
このような構成によれば、開閉カバー２１を簡易な構成にできる。
【符号の説明】
【０１３２】
１      プリンタ
２      本体ケーシング
１２    感光ドラム
１３    転写ローラ
２０    開口部
２１    開閉カバー
４１    側壁
５０    被係合部
５１    傾斜部
５４    ガイド部
６８    係合部
６９    回転規制部
８０    アーム
９５    ねじりコイルばね
９６    巻回部
９７    第１係合部
９８    第２係合部
【図１】
2015069143.tif 000003
【図２】
2015069143.tif 000004
【図３】
2015069143.tif 000005
【図４】
2015069143.tif 000006
【図５】
2015069143.tif 000007
【図６】
2015069143.tif 000008
【図７】
2015069143.tif 000009